(57)【要約】  【課題】安価で、かつ操作を容易とした上で、家庭における除雪作業の労働力の軽減  【解決手段】手動リフター１におけるフォーク部１２に支持される支持部３１と、当該支持部３１に前後回動可能に軸支され、前方回動によって収容した雪を出すことが可能な構成とする雪収容部３２と、当該雪収容部３２を後方回動させるための引っ張り部３３とを含む雪運搬装置３を備える。  【選択図】図１
2006205919.tif 000002
【特許請求の範囲】
【請求項１】
手動リフターに支持される雪運搬装置であって、前記雪運装置は、手動リフターにおけるフォーク部に支持される支持部と、当該支持部に前後回動可能に軸支され、前方回動によって収容した雪を出すことが可能な構成とする雪収容部と、当該雪収容部を後方回動させるための引っ張り部とを含むことを特徴とする雪運搬装置。
【請求項２】
雪を運搬可能とする手動リフターであって、雪上を滑走可能な滑走部と、上下動可能に支持される雪運搬装置とを含み、当該雪運搬装置は、手動リフターにおけるフォーク部に支持される支持部と、当該支持部に前後回動可能に軸支された雪収容部と、当該雪収容部を後方回動させるための引っ張り部とを含むことを特徴とする手動リフター。  
【請求項３】
請求項１または請求項２に記載の雪運搬装置であって、前記引っ張り部は、略紐状体であることを特徴とする雪運搬装置。
【請求項４】
前記引っ張り部が挿通される挿通部を上端部に備えたことを特徴とする請求項２または請求項３に記載の手動リフター。
【発明の詳細な説明】
【技術分野】
【０００１】
本発明は、雪運搬装置およびこの雪運搬装置を備えた手動リフターに関する。
【背景技術】
【０００２】
従来、家屋周りに積もった雪を除雪するには、スコップやそり状の雪運搬具(通称ママさんダンプと称される)を用いて人力により行ったり、エンジンやモーター等で作動する除雪機を用いて除雪を行ったりしている。
【発明の開示】
【発明が解決しようとする課題】
【０００３】
しかしながら、前記人力による除雪は、極めて重労働であり、特に除雪した雪を積み上げる際において腰を痛めたり、雪上での作業であるため滑って転んだりして思わぬ怪我をする可能性が有る。
除雪機については、簡単、かつ迅速に除雪を行えるものの、相当高価であるとともに、その操作が慣れていないとうまく除雪できないし、しかも、燃料コストやメンテナンスコスト等の各種コストも要する。
なお、本願出願人の知り得る範囲において、前記課題を解決する除雪機に関する先行技術文献情報は無い。
【０００４】
本発明は、安価で、かつ操作を容易とした上で、家庭における除雪作業の労働力の軽減を課題とし、この課題を解決する雪運搬装置およびこの雪運搬装置を備えた手動リフターの提供を目的とする。
【課題を解決するための手段】
【０００５】
本発明は、前記目的を達成するため、下記の技術的手段を採用した。
手動リフターに支持される雪運搬装置であって、前記雪運装置は、手動リフターにおけるフォーク部に支持される支持部と、当該支持部に前後回動可能に軸支され、前方回動によって収容した雪を出すことが可能な構成とする雪収容部と、当該雪収容部を後方回動させるための引っ張り部とを含むことを特徴とする雪運搬装置とした(第１発明)。
また、雪を運搬可能とする手動リフターであって、雪上を滑走可能な滑走部と、上下動可能に支持される雪運搬装置とを含み、当該雪運搬装置は、手動リフターにおけるフォーク部に支持される支持部と、当該支持部に前後回動可能に軸支された雪収容部と、当該雪収容部を後方回動させるための引っ張り部とを含むことを特徴とする手動リフターにした(第２発明)。
前記引っ張り部は、操作性及び仕舞性を良好とする観点から略紐状体とすることが好ましく(第３発明)、この場合、さらに操作性を良好とする観点から、前記引っ張り部を挿通する挿通部を上端部に備えた手動リフターとすることが好ましい(第４発明)。
前記略紐状体とは、ロープやチェーン、あるいはワイヤー等の可撓性を有する周知の構成のものである。
【発明の効果】
【０００６】
本発明によれば、下記の優れた効果が期待できる。
第１発明によれば、雪運搬装置は、手動リフターによって運搬されるとともに、上下動し、任意の場所および高さにおいて前方回動させることによって収容された雪を出すことができる。
また、第２発明によれば、手動リフターは、滑走部によって雪上を滑走可能であるので雪の運搬が容易にでき、しかも、雪運搬装置を上下動させて任意高さにおいて前方回動させることによって収容された雪を出すことができる。
また、第３発明によれば、引っ張り部が略紐状体であるので、操作が簡単であるとともに、仕舞性も良好である。
また、第４発明によれば、引っ張り部を常に定位置に保持することができるので、引っ張り部の引っ張り操作をさらに簡単にすることができ、しかも迅速な操作をすることができる。
したがって、安価で、かつ操作を容易とした上で、家庭における除雪作業の労働力の軽減を実現できる。
【発明を実施するための最良の形態】
【０００７】
以下、本発明を実施するための最良の形態を図面に基づいて説明する。
なお、本形態では、手動リフターの説明において雪運搬装置を説明する。
【０００８】
本形態の手動リフター１は、基本的には、略Ｌ型のフレーム１１の短手側の下端部に車輪１Ａが支持される一方、長手側にフォーク部１２が上下動可能に支持され、当該フォーク部１２の上下動を操作する操作ハンドル１Ｂと、当該操作ハンドル１Ｂの回転運動によって前記フォーク部１２を上下動させる滑車機構部１Ｃを備えた周知の構造のものである。
また、前記手動リフター１は、フレーム１１における短手側と長手側、フォーク部１２が分解可能にされいている。
このような手動リフター１には、前記フレーム１１の下端部に設けられた滑走部２と、フォーク部１２に抜き挿し可能に支持された雪運搬装置３と、雪運搬装置３における後述する引っ張り部３３を挿通保持する挿通部４が備えられている。
【０００９】
滑走部２は、雪上を前後滑走可能な略ソリ状または略スキー状あるいは略スノーボード状を呈する形態のものであり、フレーム１１の短手側の下端部に対して着脱可能に取り付けられている。
また、前記滑走部２は、前記車輪１Ａの下側に位置し、使用時において車輪１Ａが地面に接触しないようにしている。
なお、前記滑走部の取り付け構造は、ボルト・ナット(図示せず)等の周知の構造で可能である。
【００１０】
雪運搬装置３は、前記フォーク部１２に支持される支持部３１と、当該支持部３１に前後回動可能に軸支された雪収容部３２と、当該雪収容部３２を後方回動させるための前述の引っ張り部３３とから構成されている。
前記支持部３１は、基本的には、周知のパレット状を呈するものであり、前記フォーク部１２に抜き挿しされる嵌合部３１Ａと、前記雪収容部３２を前後回動可能に支持する支持板３１Ｂとから構成されている。
前記雪収容部３２は、前方と上方が開放された略箱状に形成され、前方下端部が前記支持板３１Ｂの前端部に軸支され、収容された雪を捨てる際には、前方へ回動させて前方開放部３２Ａから雪を滑り落とすようにし、雪を落とし終わったら後方へ回動させて元に戻す。
【００１１】
前記雪収容部３２の前方開放部３２Ａには、当該前方開放部３２Ａを閉塞する閉塞板３Ａが取付けられるようにした雪運搬装置１にしてもよい。(図４参照)
前記閉塞版３Ａは、雪を入れる際には取り外されて前方開放部３２Ａを開放状態にし、運搬時には取り付けられて前方開放部３２Ａを閉塞する。
また、前記閉塞板３Ａは、下半部３２Ｃと上半部３２Ｄとに分割されるとともに、下半部３２Ｃが開閉可能に上半部３２Ｄに軸支されていて、雪収容部３２を前方へ回動させると雪が滑り落ちる際に生じる圧力によって前記下半部３２Ｃが開いて形成される開口部３２Ｅから雪を滑り落とすようにしてもよい。
また、本形態の雪運搬装置１は、前記閉塞板３Ａを取り付けた状態で、湯水(たとえば、風呂の残り湯等)を雪収容部３２に流し入れて収容された雪を溶かすことも可能である。
【００１２】
本形態の引っ張り部３３は、ロープを用いており、前記雪収容部３２の上端後方に固定されていて、この引っ張り部３３を引っ張ることによって雪収納部３２を後方回転させるようにしている。
前記引っ張り部３３を挿通保持する挿通部４は、前記フレーム１１の長手側上端部の中央に固着された略逆Ｕ型のものであり、この挿通部４の空間部４１に前方から後方へ引っ張り部３３が挿通される。
前記のように挿通された引っ張り部３３は、挿通部４によって定位置が保持され、使用者の目の前に必ず位置するようにされる。
【００１３】
以下、前記構成の手動リフター１を用いた除雪作業について説明する。
まず、前記フォーク部を最下位置にした状態で前記雪運搬装置３をフォーク部１２に挿し込むとともに、引っ張り部３３を挿通部４に挿通する。
最下部に位置させた状態で雪運前記雪収納部３２の前方開放部３２Ａや上方開放部３２Ｂから雪を入れる。(図５参照)
そして、手動リフター１を雪捨て場に移動させ、雪捨て場においてフォーク部１２を上昇させて雪運搬装置３を目的とする高さに位置させる。
その高さにおいて前記雪収納部３２を前方回動させて雪を滑り落とし(図６参照)、滑り落としたら引っ張り部３３を後方に引っ張って雪収納部３２を元の位置に戻す。
その後、手動リフター１を除雪する場所へ移動させるとともに、フォーク部１２を下降させ雪運搬装置３を最下位置にして、前記した作業を繰り返す。
【００１４】
なお、本発明は、例示した実施の形態に限定するものでは無く、特許請求の範囲の各項に記載された内容から逸脱しない範囲の構成による実施が可能である。
【産業上の利用可能性】
【００１５】
本発明の手動リフターは、雪上における荷物運搬においても利用可能である。
【図面の簡単な説明】
【００１６】
【図１】本発明に係る手動リフターの側面図。
【図２】同、正面図。
【図３】本発明に係る雪運搬装置の斜視図(ａ)、手動リフターの斜視図(ｂ)。
【図４】雪運搬装置の他の例を示す斜視図。
【図５】除雪作業を示す斜視図。
【図６】除雪作業を示す斜視図。
【符号の説明】
【００１７】
１：手動リフター
１２：フォーク部
２：滑走部
３：雪運搬装置
３１：支持部
３２：雪収容部
３３：引っ張り部
４：挿通部
４１：空間部
３２Ａ：前方開放部
３２Ｂ：上方開放部
３Ａ：閉塞板
３２Ｃ：下半部
３２Ｄ：上半部
３２Ｅ：開口部
【図１】
2006205919.tif 000003
【図２】
2006205919.tif 000004
【図３】
2006205919.tif 000005
【図４】
2006205919.tif 000006
【図５】
2006205919.tif 000007
【図６】
2006205919.tif 000008